(57)【要約】  【課題】  本発明は、携帯情報端末を所属証明装置として使用し、属性情報をデジタルデータとして記録し表示する場合に、簡易に偽造ができないようにすることを課題とする。  【解決手段】  携帯情報端末からなる所属証明装置として、所定の団体に属する構成員に関する属性情報を記憶する属性情報記憶手段と、属性情報を表示する表示手段とを設け、そして、前記団体に関連付けられた図形、記号、これらの組み合わせ、外形などの固有の形態的特徴を有するようにする。【選択図】  図１
2006228015.tif 000002
【特許請求の範囲】
【請求項１】
携帯情報端末からなり、
所定の団体に属する構成員に関する属性情報を記憶する属性情報記憶手段と、
属性情報を表示する表示手段とを有する所属証明装置であって、
前記団体に関連付けられた固有の形態的特徴を有することを特徴とする
所属証明装置。
【請求項２】
前記所属証明装置は、前記属性情報を前記所属証明装置ごとに与えられる識別情報に関連付けて記憶するサーバーと通信回線により接続されるものであって、さらに、
前記識別情報を記憶する識別情報記憶手段と、
前記識別情報を前記サーバーに送信する送信手段と、
前記サーバーから前記識別情報に関連づけて記憶された属性情報を取得する属性情報取得手段とを有し、
前記属性情報記憶手段は、前記属性情報取得手段が取得した属性情報を記憶する
請求項１に記載の所属証明装置。
【請求項３】
前記携帯情報端末は、表示画面と情報処理機能とを有する携帯電話である請求項１又は２に記載の所属証明装置。
【請求項４】
前記携帯情報端末は、表示画面と情報処理機能とを有する携帯電話であり、前記識別情報はこの携帯電話の管理者が携帯電話を特定するための固体識別情報である請求項２に記載の所属証明装置。
【請求項５】
前記属性情報には顔写真の画像データが含まれる請求項１から４のいずれか１項に記載の所属証明装置。
【請求項６】
前記形態的特徴は、装置の外表面に描かれる、図形、記号、文字又はこれらの組み合わせにより構成されるものである請求項１から５のいずれか１項に記載の所属証明装置。
【請求項７】
前記形態的特徴は、装置の外形が含まれる請求項１から６のいずれか１項に記載の所属証明装置。
【発明の詳細な説明】
【技術分野】
【０００１】
本発明は所定の団体に属する構成員であることを証明する装置に関し、特に、携帯情報端末装置によって所定の属性情報を表示する装置に関する。
【背景技術】
【０００２】
従来、会社や学校などの団体に所属することを示す社員証や学生証は、図１０に示すように、団体を示す印などの形態上の特徴６１を付したカードや手帳に構成員の氏名５１、所属番号５２、生年月日５３、発行年月日５４、有効期限５５、顔写真５６などの属性情報を印刷などで表記することが一般的である。
【発明の開示】
【発明が解決しようとする課題】
【０００３】
ところで、このような所属証明証を形成するカードや手帳を各構成員ごとに作成することは発行者側にとって負担が大きく、また、属性情報の変更などにより更新をする必要がある場合には、新たに作成しなおさなければならないという問題がある。
これに対処する方法として、携帯情報端末を所属証明書として利用し、表示内容をデジタルデータとして記録し表示させるようにすることで作成および更新を極めて容易にすることができると考えられる。しかし、団体を示す印などもデジタルデータとして作成することは極めて容易であるがゆえに簡易に偽造ができてしまうという問題が生じる。
そこで、本発明は、携帯情報端末を所属証明装置として使用し、属性情報をデジタルデータとして記録し表示する場合に、簡易に偽造ができないようにすることを課題とする。
【課題を解決するための手段】
【０００４】
上記課題を解決するために、本発明は次のような構成を有する。
請求項１に記載の発明は、携帯情報端末からなる所属証明装置であり、所定の団体に属する構成員に関する属性情報を記憶する属性情報記憶手段と、属性情報を表示する表示手段とを有する。そして、この所属証明装置は、前記団体に関連付けられた固有の形態的特徴を有するようにする。なお、所定の団体に属する構成員には、特定団体が発行する資格証明を持つ者のように、特定団体により認定される者が含まれる。
請求項２に記載の発明は、前記所属証明装置において、前記属性情報を前記所属証明装置ごとに与えられる識別情報に関連付けて記憶するサーバーと通信回線により接続されるものであり、さらに、前記識別情報を記憶する識別情報記憶手段と、前記識別情報を前記サーバーに送信する送信手段と、前記サーバーから前記識別情報に関連づけて記憶された属性情報を取得する属性情報取得手段とを有し、前記属性情報記憶手段は、前記属性情報取得手段が取得した属性情報を記憶するものである。
【０００５】
請求項３に記載の発明は、前記携帯情報端末を、表示画面と情報処理機能とを有する携帯電話としたものである。
請求項４に記載の発明は、請求項２に記載の所属証明装置において、前記携帯情報端末を表示画面と情報処理機能とを有する携帯電話とし、前記識別情報をこの携帯電話の管理者が携帯電話を特定するための固体識別情報とするものである。
請求項５に記載の発明は、前記所属証明装置において、前記属性情報には顔写真の画像データが含まれるものである。
請求項６に記載の発明は、前記形態的特徴は、装置の外表面に描かれる、図形、記号、文字又はこれらの組み合わせにより構成されるものである。
請求項７に記載の発明は、前記所属証明装置において、前記形態的特徴は、装置の外形が含まれるものである。
【発明の効果】
【０００６】
請求項１に記載の発明は、属性情報を記憶しこれを表示する携帯情報端末を所属証明装置とすることで、デジタルデータとして属性情報を作成し記憶することで所属証明証を簡易に作成、更新することができるとともに、所属証明装置に所属団体に関連づけられた形態的特徴を付加することにより、簡易に偽造することを困難にすることができる。
請求項２に記載の発明は、前記所属証明装置を前記属性情報を前記所属証明装置ごとに与えられる識別情報に関連付けて記憶するサーバーと通信回線により接続し、これを通じて所属証明装置は識別情報を手がかりとして属性情報を取得するようにすることで、複数の所属証明装置に対して属性情報の作成・更新を一つのサーバー内で行えば足りるようになり、さらに、所属団体の管理者の労力を軽減することができる。
請求項３に記載の発明は、前記携帯情報端末を、表示画面と情報処理機能とを有する携帯電話とすることで、所属証明装置の所有者は携帯電話としての利便性を享受することができる。
請求項４に記載の発明は、前記識別情報を前記携帯電話の管理者が携帯電話を特定するための固体識別情報とするとすることで、新たに所属証明装置に対して別の識別情報を設定しこれをサーバーの送信する構成を別途設ける必要がなくなり、コストの低減に資することができる。
【０００７】
請求項５に記載の発明は、属性情報として顔写真の画像データが含まれることで、所属証明装置において使用者の顔写真が表示されることになり、より偽造を困難にすることができる。
請求項６に記載の発明は、所属団体に関連づけられる形態的特徴を、装置の外表面に描かれる、図形、記号、文字又はこれらの組み合わせにより構成されるものとすることで、偽造者は装置の外表面にこれらを表す必要が生じ、偽造が困難な図形等とすることで偽造を抑制することに資することができる。
請求項７に記載の発明は、所属団体に関連づけられる前記形態的特徴は、前記装置の外形が含まれるものとすることで、偽造者は装置の外形を作成する必要が生じ、これによっても偽造を困難なものにすることができる。
【発明を実施するための最良の形態】
【０００８】
以下、本発明の実施形態について、図面を参照しながら説明する。
図１に本実施の形態に係る所属証明装置Xの斜視図を示す。所属証明装置はインターネットへの接続機能を有し、ＷＷＷ（World Wide Web）よりホームページデータを読出し、画面２０に表示する機能を有する携帯電話により構成される。この携帯電話はさらにカメラ機能、GPS機能、ICチップによる決済機能など近年携帯電話に付加されている種々の機能を有する。この所属証明装置Xはここでは学生証として機能するものとする。
この携帯電話は所属証明装置Xとして機能するために、所属団体である特定の学校に関連付けられた形態的特徴であるロゴマーク１１と学校名１２がケースの外表面上に刻印されている。また、各学生の属性を示す情報はホームページデータとして表示される。
【０００９】
図２に所属証明装置Xの機能および属性情報を管理する管理サーバYの機能を模式的に表す機能ブロック図を示す。管理サーバーYは複数の所属証明装置XとインターネットPにより接続されている。
所属証明装置Xは機能的に識別情報記憶部１０１、識別情報送信部１０２、HPデータ取得部１０３、HPデータ記憶部１０４、HPデータ表示部１０５、データ送受信部１０６を有する。これらは主にブラウザソフトウエアにより実現される。
データ送受信部１０６はインターネット上の管理サーバーYに対してデータの授受を行うものである。識別情報記憶部１０１は所属証明装置Xごとに与えられる識別情報を記憶する。ここでは識別情報として携帯電話の管理者が携帯電話を特定するための固体識別情報が用いられる。固体識別情報は管理会社ごとに異なるものが採用されているが、一般に、携帯電話の機種、製造番号、電話番号などから構成されている。
識別情報送信部１０２は、所属証明装置Xがインターネットに接続する場合に必ず管理サーバーYに対してデータ送受信部１０６を介して識別情報記憶部１０１に記憶された識別情報を送信する。
【００１０】
HPデータ取得部１０３は、管理サーバーYから送信されるホームページデータをデータ送受信装置１０６を介して取得する。管理サーバーYから送信されるホームページデータには、所属証明装置Xの使用者に関する氏名、顔写真データ等の属性情報を表示する後述する学生証画面があり、このホームページデータを取得する場合にHPデータ取得部１０３は属性情報所得手段として機能する。
HPデータ記憶部１０４はHPデータ取得部１０３が取得したホームページデータを記憶する。HPデータ記憶部１０４も学生証画面を示すホームページデータを記憶する場合には、属性情報記憶手段として機能する。
HPデータ表示部１０５はHPデータ記憶部１０４が記憶するホームページデータを携帯電話の画面２０に表示させる。HPデータ表示部１０５と画面２０は学生証画面を示すホームページデータを表示する場合には、属性情報表示手段として機能する。
図３に属性情報を表示する学生証画面１０００を示す。図に示すように学生証画面１０００には、属性情報として、顔写真データ１００１、氏名１００２、生年月日１００３、学生番号１００４、発行年月日１００５、有効年月日１００６が示され、さらに、学校の管理者の証明１００７が表示される。また、画面上には学校への連絡ための選択ボタン１００８が表示され、このボタンを選択することで自動的に学校の事務局へ携帯電話として電話がかかるようになっている。さらに、学校での購買部で買い物をする際の決済に利用されるバーコード１００９も表示されている。
【００１１】
管理サーバーYは、機能的に属性情報記憶部２０１、HPデータ生成部２０２、HPデータ記憶部２０３、認証部２０４、データ送受信部２０５を有する。
データ送受信部２０４は、所属証明装置Xから送信されるURL（Uniform Resource Locator）を受けて、これに対応するホームページデータを送信する。属性情報記憶部２０１は前記識別情報に関連づけてこの識別情報を割り当てられた所属証明装置Xの使用者の属性情報、および使用者に割り当てられるIDとパスワードをすべての所属証明装置Xの使用者ごとに記憶する。
HPデータ記憶部２０３はHPデータ生成部２０２により生成されるホームページデータの他、エラー画面や認証画面を示すホームページを記憶する。図４に認証画面２０００を示す。図に示すように認証画面２０００はIDを入力するID入力ボックス２００１、パスワードを入力するパスワード入力ボックス２００２、入力されたデータを確定しデータ送受信部１０６を介して送信させる送信ボタン２００３が含まれる。
認証部２０４は認証画面２０００を介して所属証明装置Xから送信されてくるIDとパスワードが、同じく所属証明装置Xから送信されてくる識別情報と関連づけられて属性情報記憶部２０１に記憶されているかどうかを判断し、記憶されている場合はHPデータ生成部２０２に前述した学生証画面１０００を示すホームページデータを生成させた後に、これをデータ送受信部２０５を介して送信させ、記憶されていない場合はエラーを表示する画面を示すホームページデータをデータ送受信部２０５を介して送信させる。
HPデータ生成部２０２は、認証部２０４が正当性を認証した場合に、所属証明装置Xから送信されてくる識別情報に基づいて属性情報記憶部２０１からこの識別情報に関連付けて記憶されている属性情報を呼び出し、図３に示すような学生証画面１０００を生成してHPデータ記憶部２０３に記憶させる。この学生証画面１０００は記憶後直ちにデータ送受信部２０５により所属証明装置Xへ送信される。
【００１２】
次に、このような構成を有する所属証明装置X、管理サーバーYの動作について説明する。図５に所属証明装置Xの動作を表すフローチャートを示す。まず、学生証として所属証明装置Xを使用する使用者は、管理サーバーYに対して認証画面を表すホームページデータのURLをデータ送受信部１０６を介して送信する。この際、識別情報記憶部１０１に記憶されている識別情報も識別情報送信部１０２により管理サーバーYへ送信される（ｓ１０１）。これに応じて管理サーバーYは認証画面２０００を送信してくるので、所属証明装置Xはこれを受け付けてHPデータ取得部１０３、HPデータ記憶部１０４、HPデータ表示部１０５を介して画面２０に表示する（ｓ１０２）。この画面から使用者はIDとパスワードを入力して送信する（ｓ１０３）。これに応じて管理サーバーYはIDとパスワードが正しければ学生画面１０００を送信してくるので、HPデータ取得部１０３、HPデータ記憶部１０４、HPデータ表示部１０５を介して画面２０に表示する（ｓ１０４）。また、送信したIDとパスワードが誤っている場合は、エラー画面が送信されてくるので、同様に画面２０に表示されることになる。
【００１３】
次に、管理サーバーYの動作について説明する。図６に管理サーバーYの動作を表すフローチャートを示す。まず、所属証明装置Xから認証画面を表すURLと、所属証明装置Xの識別情報とが送信されてくるのでデータ送受信部２０５がこれらを受け付け（ｓ２０１）、認証画面２０００をHPデータ記憶部１０３から呼び出して所属証明装置Xへ送信する（ｓ２０２）。次に、所属証明装置からIDとパスワードが送信されてくるので、データ送受信２０５がこれを受けつけ（ｓ２０３）、認証部２０４が既に受け付けられている識別情報に基づいて属性情報記憶部２０１を参照して受け付けられたIDとパスワードが正しいかどうか判断する（ｓ２０４）。ここで、正しいと判断された場合には、HPデータ生成部２０２が受けつけられている識別情報に関連付けて属性情報記憶部２０１に記憶されている属性情報を呼び出し、学生証画面１０００を生成して、HPデータ記憶部２０３に記憶させる。この記憶された画面はそのままデータ送受信部２０５が所属証明装置Xへ送信する（ｓ２０５）。一方、ID又はパスワードが正しくなければデータ送受信部２０５がエラー画面を所属証明装置Xへ送信する（ｓ２０６）。
このようなシステム構成により、所属証明装置としての各携帯電話を特定する識別情報により属性情報データを管理することで、サーバー内の属性情報を生成し、変更するだけで所属証明の発行、更新が可能となるとともに、所属証明装置自体に所属団体を表す形態的特徴を持たせておくことで、偽造を抑制することが可能となる。
【００１４】
なお、上記実施形態では、所属証明装置Xの形態的特徴としてケースの外表面上に刻印されたロゴマーク１１と学校名１２を示したが、形態的特徴としては、このほかにも図７に示すように、ロゴマーク１１や学校名１２等をホログラムシール３１により表してこれを貼り付ける方法や、図８に示すように、ロゴマーク１１や学校名１２を刻印した所属証明装置Xの外形にはめ込むことができるカバー３２を装着する方法や、図９に示すように所属証明装置Xに本のような表紙３３ａ、裏表紙３３ｂ、背３３ｃを設けることで外形的な特徴を持たせるとともに、表紙部分にロゴマーク１１、学校名１２等を示す方法など種々の方法を採用することができる。
また、上記の実施形態では属性情報を表示する度に管理サーバーにアクセスする構成を示したが、属性情報を所属証明装置Xに長期保存するようにし、管理サーバーにアクセスすることなく表示させるようにしてもよい。この場合は、サーバーから属性情報を受信する構成以外に、フラッシュメモリーなどの記録メディアにより属性情報を取得するようにしたり、製造段階で属性情報記憶手段を構成するROMに記憶させたり、属性情報記憶手段自体を着脱可能な記録メディアとしてこれを装着するようにさせたりすることも可能である。
【図面の簡単な説明】
【００１５】
【図１】実施形態に係る所属証明装置の斜視図である。
【図２】実施形態に係る所属証明装置の機能および属性情報を管理する管理サーバの機能を模式的に表す機能ブロック図である。
【図３】属性情報を表示する学生証画面を示す図である。
【図４】認証画面２０００を示す図である。
【図５】所属証明装置の動作を示すフローチャートである。
【図６】管理サーバーの動作を示すフローチャートである。
【図７】所属証明装置の形態的特徴の一例を示す斜視図である。
【図８】所属証明装置の形態的特徴の他の一例を示す斜視図である。
【図９】所属証明装置の形態的特徴のさらに他の一例を示す斜視図である。
【図１０】従来の所属証明証の例を示す図である。
【符号の説明】
【００１６】
X      所属証明装置
Y      管理サーバー
２０    画面
１０１  識別情報記憶部
１０２  識別情報送信部
１０３  HPデータ取得部
１０４  HPデータ記憶部
１０５  HPデータ表示部
１０６  データ送受信部
２０１  属性情報記憶部
【図１】
2006228015.tif 000003
【図２】
2006228015.tif 000004
【図３】
2006228015.tif 000005
【図４】
2006228015.tif 000006
【図５】
2006228015.tif 000007
【図６】
2006228015.tif 000008
【図７】
2006228015.tif 000009
【図８】
2006228015.tif 000010
【図９】
2006228015.tif 000011
【図１０】
2006228015.tif 000012